【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
遠隔通信システムを構成する方法であって、前記遠隔通信システムは複数のトランスポートチャネルによって搬送されるデータを通信するフェーズを実行する複数のエンティティを含み、前記トランスポートチャネルのデータは少なくとも１つの多重化フレームに多重化され、初期サイズ（Ｘｉ）の入力データブロックを最終サイズ（Ｙｉ）の出力データブロックに変換することによって前記データのレートマッチングがなされ、
前記方法は、
少なくとも１つのエンティティによって、レートマッチング比（Ｙｉ／Ｘｉ）に関連するパラメータ（Ｅｑ）を決定するステップと、
前記少なくとも１つのエンティティから他のエンティティに前記パラメータ（Ｅｑ）を伝送するステップと、
前記入力データブロックの初期サイズ（Ｘｉ）、前記パラメータ（Ｅｑ）及び前記多重化フレームの最大ペイロード（ＮＪＳＥＬ）に基づいて、前記他のエンティティによって、前記出力データブロックの最終サイズを計算するステップと、
を含むことを特徴とする方法。
【請求項２】
前記方法は、符号分割多元接続（ＣＤＭＡ）型の技術を実現する遠隔通信システム内で実現されることを特徴とする請求項１記載の方法。
【請求項３】
前記方法は、遠隔通信システムのアップリンクにおいて実行されることを特徴とする請求項１又は２記載の方法。
【請求項４】
前記出力データブロックの最終サイズを計算するステップは、複数の集合サイズを計算する第１のステップを有し、トランスポートチャネルｉに対する前記集合サイズは、以下の式を用いて計算され、
【数１】
2004194345.tif 000001
Y’jはトランスポートチャネルｊに対応する出力データブロックの中間サイズ、
ＮJSELは多重化フレームの最大ペイロード、
ｋは前記トランスポートチャネルの複合体に含まれた前記トランスポートチャネルの数であり、
２つの連続する集合サイズの差分（Zi-Zi-1）を計算することによって、前記トランスポートチャネルｉに対する前記出力ブロックの前記最終サイズを計算する第２のステップとを有することを特徴とする請求項１乃至３のいずれかに記載の方法。
【請求項５】
複数のトランスポートチャネルによって搬送されるデータを通信する通信装置であって、前記トランスポートチャネルの前記データは少なくとも１つの多重化フレームに多重化され、前記通信装置は、
初期サイズ（Ｘｉ）の入力データブロックを最終サイズ（Ｙｉ）の出力データブロックに変換するレートマッチング手段と、
前記入力データブロックの初期サイズ（Ｘｉ）、前記レートマッチング比（Ｙｉ／Ｘｉ）に関連するパラメータ（Ｅｑ）及び前記多重化フレームの最大ペイロード（ＮＪＳＥＬ）に基づいて、前記最終サイズ（Ｙｉ）を計算する計算手段を有することを特徴とする通信装置。
【請求項６】
前記レートマッチング比（Ｙｉ／Ｘｉ）に関連する前記パラメータ（Ｅｑ）を受信する受信手段をさらに有することを特徴とする請求項５記載の通信装置。
【請求項７】
前記受信手段は前記トランスポートチャネルのそれぞれに対する前記パラメータ（Ｅｑ）を受信し、前記計算手段は前記トランスポートチャネルのそれぞれに対する最終サイズ（Ｙｉ）を計算することを特徴とする請求項６記載の通信装置。
【請求項８】
前記計算手段は前記初期サイズ（Ｘｉ）と前記トランスポートチャネルのパラメータ（Ｅｑ）の乗算を行うことを特徴とする請求項５乃至７のいずれかに記載の通信装置。
【請求項９】
前記計算手段は、前記多重化フレームに対して選択された複数の利用可能な最大ペイロードの最小値に基づいて、前記出力データブロックの最終サイズを計算することを特徴とする請求項５乃至８のいずれかに記載の通信装置。
【請求項１０】
遠隔通信システムを構成する方法であって、前記遠隔通信システムは複数のトランスポートチャネルによって搬送されるデータを通信するフェーズを実行する複数のエンティティを含み、前記トランスポートチャネルのデータは少なくとも１つの多重化フレームに多重化され、初期サイズの入力データブロックを最終サイズの出力データブロックに変換することによって前記データのレートマッチングがなされ、
前記方法は、
前記レートマッチング比（Ｙｉ／Ｘｉ）に関連するパラメータ（Ｅｑ）を受信するステップと、
前記入力データブロックの前記初期サイズ（Ｘｉ）、前記パラメータ及び前記多重化フレームの最大ペイロード（ＮＪＳＥＬ）に基づいて、前記出力データブロックの前記最終サイズ（Ｙｉ）を計算するステップと、
を有することを特徴とする方法。
【請求項１１】
送信エンティティ及び受信エンティティを有する遠隔通信システムであって、前記送信エンティティと前記受信エンティティは複数のトランスポートチャネルによって搬送されるデータを通信するフェーズを実行し、前記トランスポートチャネルの前記データは少なくとも１つの多重化フレームに多重化され、初期サイズ（Ｘｉ）の入力データブロックを最終サイズ（Ｙｉ）の出力データブロックに変換することによって前記データのレートマッチングがなされ、
前記受信エンティティは、前記レートマッチング比（Ｙｉ／Ｘｉ）に関連するパラメータ（Ｅｑ）を前記送信エンティティに伝送する伝送手段を有し、
前記送信エンティティは、
前記レートマッチング比（Ｙｉ／Ｘｉ）に関連する前記パラメータ（Ｅｑ）を受信する受信手段と、
前記入力データブロックの初期サイズ（Ｘｉ）、前記パラメータ（Ｅｑ）及び前記多重化フレームの最大ペイロードに基づいて、前記出力データブロックの前記最終サイズ（Ｙｉ）を計算する計算手段と、
を有することを特徴とする遠隔通信システム。
【手続補正２】
【補正対象書類名】明細書
【補正対象項目名】００６５
【補正方法】変更
【補正の内容】
【００６５】
この目的のために、本発明の主題は、遠隔通信システムを構成する方法であって、この遠隔通信システムは複数のトランスポートチャネルによって搬送されるデータを通信するフェーズを実行する複数のエンティティを含み、トランスポートチャネルのデータは少なくとも１つの多重化フレームに多重化され、初期サイズ（Ｘｉ）の入力データブロックを最終サイズ（Ｙｉ）の出力データブロックに変換することによって前記データのレートマッチングがなされる方法である。
この方法は、以下の手順によって特徴付けられる。すなわち：
少なくとも１つのエンティティによって、レートマッチング比（Ｙｉ／Ｘｉ）に関連するパラメータ（Ｅｑ）を決定するステップと、
上記少なくとも１つのエンティティから他のエンティティに上記パラメータ（Ｅｑ）を伝送するステップと、
上記入力データブロックの初期サイズ（Ｘｉ）、上記パラメータ（Ｅｑ）及び上記多重化フレームの最大ペイロード（ＮＪＳＥＬ）に基づいて、上記他のエンティティによって、前記出力データブロックの最終サイズを計算するステップとである。
【手続補正３】
【補正対象書類名】明細書
【補正対象項目名】００６６
【補正方法】変更
【補正の内容】
【００６６】
本発明の主題は、また、複数のトランスポートチャネルによって搬送されるデータを通
信する通信装置であって、前記トランスポートチャネルの前記データは少なくとも１つの多重化フレームに多重化され、この通信装置が、
初期サイズ（Ｘｉ）の入力データブロックを最終サイズ（Ｙｉ）の出力データブロックに変換するレートマッチング手段と、
上記入力データブロックの初期サイズ（Ｘｉ）、上記レートマッチング比（Ｙｉ／Ｘｉ）に関連するパラメータ（Ｅｑ）及び上記多重化フレームの最大ペイロード（ＮＪＳＥＬ）に基づいて、上記最終サイズ（Ｙｉ）を計算する計算手段を有することを特徴とする。
【手続補正４】
【補正対象書類名】明細書
【補正対象項目名】００６７
【補正方法】変更
【補正の内容】
【００６７】
本発明の主題は、また、複数のトランスポートチャネルによって搬送されるデータを通信するフェーズを実行する複数のエンティティを含む遠隔通信システムを構成する方法であって、上記トランスポートチャネルのデータは少なくとも１つの多重化フレームに多重化され、初期サイズの入力データブロックを最終サイズの出力データブロックに変換することによって前記データのレートマッチングがなされる方法であって、以下のステップを含むことを特徴とする：
レートマッチング比（Ｙｉ／Ｘｉ）に関連するパラメータ（Ｅｑ）を受信するステップと、
上記入力データブロックの初期サイズ（Ｘｉ）、上記パラメータ及び上記多重化フレームの最大ペイロード（ＮＪＳＥＬ）に基づいて、上記出力データブロックの前記最終サイズ（Ｙｉ）を計算するステップである。
【手続補正５】
【補正対象書類名】明細書
【補正対象項目名】００６８
【補正方法】変更
【補正の内容】
【００６８】
本発明の主題は、また、送信エンティティ及び受信エンティティを有する遠隔通信システムであって、送信エンティティと受信エンティティは複数のトランスポートチャネルによって搬送されるデータを通信するフェーズを実行し、上記トランスポートチャネルのデータは少なくとも１つの多重化フレームに多重化され、初期サイズ（Ｘｉ）の入力データブロックを最終サイズ（Ｙｉ）の出力データブロックに変換することによってデータのレートマッチングがなされる通信システムにおいて、
上記受信エンティティが、上記レートマッチング比（Ｙｉ／Ｘｉ）に関連するパラメータ（Ｅｑ）を上記送信エンティティに伝送する伝送手段を有し、
上記送信エンティティが、
上記レートマッチング比（Ｙｉ／Ｘｉ）に関連するパラメータ（Ｅｑ）を受信する受信手段と、
上記入力データブロックの初期サイズ（Ｘｉ）、上記パラメータ（Ｅｑ）及び上記多重化フレームの最大ペイロードに基づいて、上記出力データブロックの最終サイズ（Ｙｉ）を計算する計算手段とを有することを特徴とする。